(57)【特許請求の範囲】
【請求項１】
固定枠体１の開口前面１a側を開閉する扉２を固定枠体１に開閉自在に支持するためのヒンジであって；固定枠体１に固着される水平のベース板３と；扉２に固着される水平の支持板４と；前記ベース板３上に第１固定軸５により基端側が枢支される第１のリンク６と；前記ベース板３上に第２固定軸７により第１固定軸５の後方に間隔を置いて基端側が枢支される第２のリンク８と；前記支持板４上に第３固定軸９により基端側が枢支され先端側が第１可動軸１０により前記第１のリンク６の先端部に枢支される第３のリンク１１と；前記支持板４上に第４固定軸１２により前記第３固定軸９の横外方向に間隔を置いて基端側が枢支され、先端側が第２可動軸１３により前記第２のリンク８の先端部に枢支され、中間部が第３可動軸１４により前記第１のリンク６の中間部に枢支される第４のリンク１５と；前記第１可動軸１０により枢支さればねにより一方向に回転付勢されるストッパレバー１６とを具備し；このストッパレバー１６は、前記第２可動軸１３に摺接する側縁１６aと、前記扉の全開位置において第２可動軸１３に係合して第１可動軸１０と第２可動軸１３との間を固定する係合凹部１６ｂとを具備し；扉２が開くにしたがって全開位置まで前記第１及び第２のリンク６，８がベース板３から前方へ延出するように回動することを特徴とする筐体の扉用持出し回転型ヒンジ。
【発明の詳細な説明】
【技術分野】
【０００１】
この発明は、本発明は自動販売機等の筐体の扉に使用されるヒンジに関するものである。
【背景技術】
【０００２】
一般の自動販売機等では、固定枠体に取り付けたベース板の先端部に扉の基端部を単一軸構成のピボット型ヒンジによって連結している。しかしながら、このように扉の回転中心が固定枠体に近接した位置関係にあるヒンジでは、隣に同様の自販機等が設置されている場合には、扉を大きく開放したときに隣接の自販機等に扉が衝突する干渉事故の問題が指摘されている。この干渉事故を避けようとすると、今度は十分に扉を開放することができないため、ディスプレイや金銭収納用引き出し等の引き出し操作に障害となってしまう。
そこで、扉の回転中心が固定枠体の開口部前面側に持ち出されるため、扉が隣接の自販機等に衝突する干渉事故が発生せず、また、開放された扉が引き出し等の出し入れ操作の障害となることもない自販機等の持出し回転型ヒンジが提案されている（例えば特許文献１参照）。
このヒンジは、ベース板の先端部に固定歯車を固着し、アーム板の基端部の第１軸ピンを固定歯車の垂直軸孔に嵌挿し、アーム板に支持させた中間歯車を固定歯車に噛み合わせ、第１リンクの先端部を第２軸ピンで扉に連結し、第１リンクの基端部に固着した第３軸ピンをアーム板の軸受孔に嵌挿し、第３軸ピンに固設した回転軸歯車を固定歯車の反対側において中間歯車に噛み合わせ、第２リンクの基端部を第４軸ピンによってアーム板の先端部に連結し、第２リンクの先端部を第５軸ピンによって扉に連結したものである。
しかしながら、このヒンジは、機構が複雑で、比較的高価なものとなるという問題点がある。
【先行技術文献】
【特許文献】
【０００３】
【特許文献１】特開平１０−２５２３３８号公報
【発明の概要】
【発明が解決しようとする課題】
【０００４】
したがって、この発明の目的は、扉の回転中心が固定枠体の開口部前面側に持ち出されるため、開放された扉が内部の物品の出し入れ操作の障害となることがない自販機等の筐体の持出し回転型ヒンジで、構造が比較的簡単で安価に得られるもの提供することである。
【課題を解決するための手段】
【０００５】
以下、添付図面の符号を参照して説明するが、本発明はこれに限定されるものではない。
上記課題を解決するため、この出願に係る発明のヒンジ１０１は、固定枠体１の開口前面１a側を開閉する扉２を固定枠体１に開閉自在に支持するためのヒンジであって；固定枠体１に固着される水平のベース板３と；扉２に固着される水平の支持板４と；前記ベース板３上に第１固定軸５により基端側が枢支される第１のリンク６と；前記ベース板３上に第２固定軸７により第１固定軸５の後方に間隔を置いて基端側が枢支される第２のリンク８と；前記支持板４上に第３固定軸９により基端側が枢支され先端側が第１可動軸１０により前記第１のリンク６の先端部に枢支される第３のリンク１１と；前記支持板４上に第４固定軸１２により前記第３固定軸９の横外方向に間隔を置いて基端側が枢支され、先端側が第２可動軸１３により前記第２のリンク８の先端部に枢支され、中間部が第３可動軸１４により前記第１のリンク６の中間部に枢支される第４のリンク１５とを具備し；扉２が開くにしたがって全開位置まで前記第１及び第２のリンク６，８がベース板３から前方へ延出するように回動する。
【発明の効果】
【０００６】
この出願に係る発明のヒンジによれば、リンク６，８が前方へ延出するように回動して、扉２が横外方向へ移動することにより、扉２の回転中心が固定枠体１の開口部前方に持ち出されるため、開放された扉２が筐体内部の物品の出し入れ操作の障害となることがない。また、構造が比較的簡単で比較的安価に得られるという効果を有する。
【図面の簡単な説明】
【０００７】
【図１】扉が閉鎖状態にあるときの本発明に係るヒンジの平面図である。
【図２】図１のヒンジの側面図である。
【図３】扉が開放途上にあるときの図１のヒンジの平面図である。
【図４】扉が全開状態にあるときの図１のヒンジの平面図である。
【発明を実施するための形態】
【０００８】
図面を参照してこの発明の実施の形態を説明する。
図１ないし図４において、ヒンジ１０１は、筐体の固定枠体１の開口前面１ａ側を開閉する扉２を固定枠体１に開閉自在に支持するためのヒンジであって、扉２の上下部の２か所に対称に装着される。ヒンジ１０１は、固定枠体１に固着される固定ブラケットのベース板３と、扉２に固着される可動ブラケットの支持板４と、ベース板３と支持板４との間を連結する水平面上回転自在の第１ないし第４のリンク６，８，１１とを具備する。扉２は、図１に示す閉鎖状態において、当接面２ａが固定枠体１の開口前面１ａに重なる。
【０００９】
第１リンク６は、第１固定軸５により、基端側においてベース板３に枢支される。第１リンク６は、第１固定軸５の後方に間隔を置いて位置する第２固定軸７により、基端側においてベース板３に枢支される。
【００１０】
第３リンク１１は、第３固定軸９により、基端側において支持板４に枢支され、先端部において第１可動軸１０により、第１リンク６に枢支される。
【００１１】
第４リンク１５は、第３固定軸９の横外方向に間隔を置いて位置する第４固定軸１２により、基端側において支持板４に枢支され、先端部において第２可動軸１３により、第２リンク８に枢支され、また中間部において、第３可動軸１４により、第１リンク６の中間部に枢支される。
【００１２】
図１，２に示すように、扉２の閉鎖状態において、第２固定軸７・第２可動軸１３間、第１可動軸１０・第３可動軸１４間及び第３固定軸９・第４固定軸１２間をそれぞれ結ぶ直線が、固定枠体１の開口前面１aと平行に配置される。扉２が開くにしたがって、第１及び第２のリンク６，８が、ベース板３から前方へ起立回動し、扉２をそれの回転軸と共に筐体１の前方へせり出させる。扉２が図４に示す全開位置に達するとき、第３リンク１１の側縁１１aと第４リンク１５の側縁１５aとが当接し、リンク６，８，１１，１５の回転が止まる。
【００１３】
扉２が全開位置にあるとき、筐体１の開口の前面１a側が広く開放されるので、物品の出し入れ作業が円滑に行われる。
【００１４】
ストッパレバー１６は、中間部において第１可動軸１０により枢支され、ばね１７により反時計方向に回転付勢される。ストッパレバー１６は、側縁１６aと、係合凹部１６ｂと、操作部１６ｃとを具備する。側縁１６aは、図１に示す扉２の閉鎖位置から図４に示す扉２の全開位置の直前位置まで、第２可動軸１３に摺接する。係合凹部１６ｂは、ストッパレバー１６の先端側に設けられ、図４に示す扉２の全開位置において、第２可動軸１３に係合し、第１可動軸１０と第２可動軸１３との間を固定する。操作部１６ｃは、係合凹部１６ｂの係合を解除するためのもので、ストッパレバー１６の基端側に設けられる。ストッパレバー１６が第１可動軸１０と第２可動軸１３との間に介在することにより、扉２は全開位置でロックされる。このロックを解除するには、操作部１６ｃを押し、ストッパレバー１６を時計方向へ回転させることによって、係合凹部１６ｂと第２可動軸１３との係合を解除する。これで、扉２を閉じることができる。
【符号の説明】
【００１５】
１    固定枠体
１ａ  開口前面
２    扉
２ａ  当接面
３    ベース板
４    支持板
５    第１固定軸
６    第１リンク
７    第２固定軸
８    第２リンク
９    第３固定軸
１０  第１可動軸
１１  第３リンク
１１a  側縁
１２  第４固定軸  
１３  第２可動軸
１４  第３可動軸
１５  第４リンク
１５a  側縁
１６  ストッパレバー
１６a  側縁
１６ｂ  係合凹部
１６ｃ  操作部  
１７  ばね
１０１  ヒンジ
【図１】
0005588420.tif 000002
【図２】
0005588420.tif 000003
【図３】
0005588420.tif 000004
【図４】
0005588420.tif 000005